(57)【特許請求の範囲】
【請求項１】
水平軸回りに回転されるプーリ間に巻回され、駆動源により一方向に回転される無端搬送ベルトと、その搬送ベルトの互いに反対側に所定間隔をおいて接触して回転される複数個の搬送ローラと、前記搬送ローラを支持するとともに、搬送ベルトに沿って搬送路を形成する搬送路形成部材とを有し、シート状物送込み機から送込まれるシート状物を前記搬送路に導入させ、前記搬送ベルトと搬送ローラで所定位置に設けられた収納部まで挟持搬送するシート状物搬送装置において、
前記搬送ローラは搬送方向に交互に前記搬送ベルトの反対側に、かつ、非対向状態に配置され、さらに、前記搬送ベルトのそれぞれ同一側に配置された搬送ローラの軸心を結ぶ２本の直線の間の距離Ｌａを、前記搬送ローラの半径をｒ、前記搬送ベルトの直径をＲとすると、Ｌａ＜２ｒ＋Ｒとなるように設定して、前記搬送ローラに順次接触する前記搬送ベルトを蛇行させ、
前記搬送ベルトに互いに反対側から接触される搬送ローラのうち、それぞれ同一側に配置される搬送ローラを、それぞれ上下に対向する溝で構成された部分搬送路を有する等長の搬送路形成部材に、その外周の一部が前記部分搬送路に臨むように前記搬送路形成部材の長手方向に等間隔をもって取付けてユニット搬送体を形成し、複数のユニット搬送体を前記搬送路形成部材の上下端部において、前記搬送ベルトの上方及び下方にシート状物搬送方向に沿って延設されたレールに摺動自在に取付けたこと、
を特徴とするシート状物搬送装置。
【請求項２】
ユニット搬送体の搬送路形成部材は、上端部及び下端部が係止部材により前記レールに着脱自在に支持されていることを特徴とする請求項１に記載されたシート状物搬送装置。
【発明の詳細な説明】
【０００１】
【発明の属する技術分野】
本発明は、搬送ベルトとこれに接触する搬送ローラとの間に、紙幣その他の一定の形状を有するシート状物を挟持して所定位置まで搬送するシート状物搬送装置に関する。
【０００２】
【従来の技術】
例えば、図１４に示すように、パチンコ台やスロットマシンなどの複数の遊技台Ｐを横方向に並設してなる遊技台列に、その遊技台列の前面側から紙幣を受入れて一定の姿勢で前記遊技台列の背面側に送り出す紙幣受入機Ｓを前記遊技台列に沿って所定間隔をもって設けるとともに、前記遊技台列の背面側に、前記紙幣受入機Ｓから送り出される紙幣を受取って、前記遊技台列に沿って所定位置まで挟持搬送する紙幣搬送装置ＢＣを設け、前記紙幣受入機と前記紙幣搬送装置との間に前記紙幣受入機から送り出される紙幣を前記紙幣搬送装置に導入する導入機Ｊを設けてなる遊技設備がある。
図１４は紙幣搬送装置を備えた遊技設備の一部の平面図、図１５は図１４の楕円Ａ部分、すなわち、紙幣搬送装置のユニット搬送体の一部を示す平面図、図１６は図１４の楕円Ｂ部分、すなわち、導入機Ｊの横断面図である。
【０００３】
上記遊戯台列には、通常、紙幣の投入により作動する台間玉貸機や台間メダル貸機が設置されるが、前記紙幣受入機Ｓはその玉貸機又はメダル貸機に組込まれ、紙幣受入機に投入された紙幣は、遊技台列の背面側に設置された紙幣搬送装置ＢＣにより遊技台列の所定位置に設けられた収納部ＣＴまで搬送され、収納されるようにしてある。
従来の紙幣搬送装置ＢＣは、搬送路の構成要素として、紙幣受入機Ｓに接続される部分に設けられる導入機Ｊと、紙幣搬送方向に隣接する導入機Ｊの間を連結するユニット搬送体Ｕとを有している。
そして、一つの遊技台列は、遊技台Ｐと、隣合う２台の遊技台ごとの間に設置される台間玉貸機又は台間メダル貸機とから構成され、一つの遊技設備には、２列の遊技台列を背中合わせに設置される。
【０００４】
このような構成に対応して、紙幣搬送装置ＢＣには、図１４に示すように、遊技台列の両端部に設けた水平軸回りに回転されるプーリ（図示省略）の間に１本の無端ゴム丸ベルトからなる搬送ベルトを巻回するとともに、遊技台列の一端部のプーリを介して搬送ベルトを回転駆動するモータなどの駆動源Ｍを設け、搬送ベルトにその互いに反対側から接触して垂直軸回りに従動回転される搬送ローラを備えたユニット搬送体Ｕを設置し、搬送ベルトとそれぞれの側の搬送ローラの接触面に沿って搬送路を形成し、搬送方向に（遊技台列に沿って）隣接するユニット搬送体の間に、それぞれの遊技台列の紙幣受入機Ｓから投入された紙幣を前記搬送路にそれぞれ導入させる導入機Ｊを設けて構成されたものがある。
このような紙幣搬送装置の場合は、いずれの側の遊技台列の紙幣受入機Ｓから投入された紙幣も、遊技台列の同一方向の端部まで搬送ベルトと搬送ローラに挟持搬送され、収納部ＣＴに収納される。
【０００５】
一方、従来は、図１４に例示するように、一つの遊技台列を構成する遊技台Ｐと紙幣受入機Ｓを組み込んだ台間玉貸機又は台間メダル貸機とが、遊技台列に沿って規則的な順序及び一定距離をもって、換言すると、一様の配置パターンで配置され、かつ、一方側の遊技台列の構成要素（Ｐ，Ｓ）と他方側の遊技台列の構成要素（Ｐ，Ｓ）とが対向状態に設置されていた。そのため、紙幣搬送装置の組立て及び設置を簡便にするため、ユニット搬送体Ｕは、図１４，図１５に示すように、両側の遊技台列に対応する等しい一定長のユニット搬送体Ｕ１とユニット搬送体Ｕ２を一体的に結合した一体型構造とされ、また、導入機Ｊも、図１４及び図１６に示すように、両側の遊技台列に対応する導入機Ｊ１と導入機Ｊ２を一体的に結合した一体型構造とされている。
【０００６】
図１５に示すユニット搬送体Ｕは、搬送路形成部材102 に、搬送ベルト101 に接触されて垂直軸回りに従動回転される搬送ローラ103 を取付けてなる第１ユニット搬送体Ｕ１を、搬送ベルト101 の一方側に設置して、搬送ベルト101 と搬送ローラ103 及び搬送路形成部材102 の間に第１搬送路ｐ１を形成するとともに、第１ユニット搬送体Ｕ１と同一の構成部材（同一符号を付してある）を有する第２ユニット搬送体Ｕ２を、搬送ベルト101 の反対側に設置して、搬送ベルト101 と搬送ローラ103 及び搬送路形成部材102 の間に第２搬送路ｐ２を形成し、搬送方向に（遊技台列に沿って）隣接する第１ユニット搬送体の搬送ローラ103 の間及び搬送方向に隣接する第２ユニット搬送体Ｕ２の搬送ローラ103 の間に、それぞれの遊技台列の紙幣受入機Ｓから投入された紙幣を第１搬送路ｐ１又は第２搬送路ｐ２にそれぞれ導入させる導入機Ｊを設けて構成されている。
【０００７】
図１６は、従来の紙幣搬送装置の中の、紙幣受入機Ｓに対応する位置に設けられた一体型の導入機Ｊの横断面図である。
両側の遊技台列の紙幣受入機Ｓに対応する導入機Ｊ１，Ｊ２は、同一の構成を有して対称形に作られ（同一構成部材には同一符号を付してある）、搬送路形成部材104 の背面側に、遊技台列の沿って延長する搬送路ｐ１，ｐ２と、紙幣受入機側に先端開口を有し、搬送路に斜めに結合する案内路105 が形成され、案内路の中間部に外周の一部が突出するように取付けられた推進ホイル106 と、案内路105 が搬送路ｐ１，ｐ２と結合する位置の下流側において、搬送ローラ107 がその外周の一部を搬送路ｐ１，ｐ２に突出するように搬送路形成部材104 に設けてあり、推進ホイル106 はその回転軸に固着されたプーリと搬送ローラ107 の軸に固着されたプーリの間に伝動ベルト108 が巻回されて、回転されるようになっている。109 は搬送路形成部材104 の上流側に、搬送ベルト101 に接触する位置に設けられた補助搬送ローラである。また、110,111 は、搬送路ｐ１，ｐ２に紙幣のジャムが起きたか否かを検知するジャム検知器を構成する投光素子及び受光素子である。
【０００８】
最近、遊技設備には、図１に例示するように、一つの遊技台列に、遊技機Ｐ、玉貸機やメダル貸機Ｓのほか、テレビジョンその他の画像情報提供装置Ｖ、タバコや飲食物などを販売し又は提供するサービス提供機（図示省略）を、遊技客にゆとり感を与える狙いから、任意の位置に任意の組合わせで（ランダムに）設置する要望が出てきた。しかし、従来は、導入機が、上記のように両側の遊技台列の導入機を一体的に結合した一体型構造を有し、また、ユニット搬送体が同一構成を有して対称形に作られた等しい長さの二つのユニット搬送体を一体的に結合した一体型構造を有しているので、それぞれの遊技台列にランダムな配置を採用することができず、上記要望に応えることができないという問題があった。
【０００９】
上記要望に応えることを可能にするため、導入機を互いに反対側の導入機から独立して、遊技台列に沿ってずらして非対向状態に配置し得る独立型に改良するとともに、ユニット搬送体も互いに反対側のユニット搬送体から独立して、遊技台列に沿ってずらして非対向状態に配置し得る独立型に改良することが考えられるが、上記ユニット搬送体では、図１５に示すように、搬送ベルトの互いに反対側に接触する搬送ローラの軸間距離Ｌｂが、搬送ローラ103 の半径をｒ、搬送ベルト101 の直径をＲとすると、Ｌｂ＝２ｒ＋Ｒに設定されていた。すなわち、両搬送ローラは、その間を直線状に延長する搬送ベルトに密着するような一定の距離になるように、ユニット搬送体の搬送路形成部材が一体結合されているため、上述のように、ユニット搬送体から独立して、遊技台列に沿ってずらして非対向状態で配置する場合も、図１７に示すように、搬送ベルトの互いに反対側に接触する搬送ローラの軸間距離Ｌｂは一定不変であり、従って、各搬送ローラ103 の搬送ベルト101 に対する接触状態も不変であるから、搬送ベルト101 が直線状に維持されたまま、片側の搬送ローラのみが接触することとなる。
そのため、搬送ベルトと搬送ローラの紙幣に対する挟持力が、図１５の対向状態で配置される場合よりも小さくなり、紙幣の搬送信頼性が低下するという問題が発生する。
【００１０】
本発明は、上記の問題を解決するためになされたものであり、その課題は、一つの遊技台列に、遊技機、玉貸機やメダル貸機のほか、画像情報提供装置、タバコや飲食物などを販売し又は提供するサービス提供機などを、ランダムに設置することを可能にするため、導入機とユニット搬送体を遊技台列に沿って非対向に配置し得る独立型とする場合、搬送ベルトと搬送ローラの挟持力の低下を防止して、搬送信頼性を向上することにある。
本発明は、上記紙幣搬送装置に限らず、紙幣と同様のシート状物の搬送装置に適用することが可能である。
【００１１】
【課題を解決するための手段】
上記課題を解決するため、本発明は、水平軸回りに回転されるプーリ間に巻回され、駆動源により一方向に回転される搬送ベルトと、その搬送ベルトの互いに反対側に所定間隔をおいて接触して回転される複数個の搬送ローラと、前記搬送ローラを支持するとともに、搬送ベルトに沿って搬送路を形成する搬送路形成部材とを有し、シート状物送込み機から送込まれるシート状物を前記搬送路に導入させ、搬送ベルトと搬送ローラで所定位置に設けられた収納部まで挟持搬送するシート状物搬送装置において、前記搬送ローラは搬送方向に交互に前記搬送ベルトの反対側に、かつ、非対向状態に配置され、さらに、前記搬送ベルトのそれぞれ同一側に配置された搬送ローラの軸心を結ぶ２本の直線の間の距離Ｌａを、前記搬送ローラの半径をｒ、前記搬送ベルトの直径をＲとすると、Ｌａ＜２ｒ＋Ｒとなるように設定して、前記搬送ローラに順次接触する前記搬送ベルトが蛇行するようにするとともに、搬送ベルトに互いに反対側から接触される搬送ローラのうち、それぞれ同一側に配置される搬送ローラを、それぞれ上下に対向する溝で構成された部分搬送路を有する等長の搬送路形成部材に、その外周の一部が前記部分搬送路に臨むように前記搬送路形成部材の長手方向に等間隔をもって取付けてユニット搬送体を形成し、複数のユニット搬送体を前記搬送路形成部材の上下端部において、前記搬送ベルトの上方及び下方にシート状物搬送方向に沿って延設されたレールに摺動自在に取付けた構成としたことを特徴としている。
【００１２】
上記構成により、同一構成のユニット搬送体を搬送方向にずらして非対向状態に設置した場合でも、搬送ベルトと搬送ローラは所要の圧力をもって接触し、搬送ベルトと搬送ローラの間を挟持搬送されるシート状物に対して所要の挟持力が確保される。従って、シート状物の搬送信頼性が向上する。また、複数のユニット搬送体は搬送路形成部材の上下端部において、上下のレールに摺動自在に取付けられるので、搬送ベルトの互いに反対側に接触する搬送ローラの軸芯を結ぶ直線の間の距離Ｌａを、搬送ローラの半径をｒ、搬送ベルトの直径をＲとすると、Ｌａ＜２ｒ＋Ｒとなるように、搬送ローラを配置することが容易にできる。また、各ユニット搬送体のシート状物搬送方向に沿った取付け位置を任意に設定することができる。
【００１３】
ユニット搬送体の搬送路形成部材は、上端部及び下端部が係止部材により前記レールに着脱自在に支持されていることが望ましい。
上記構成により、ユニット搬送体のレールに対する取付け作業及び位置決めを簡単に行うことができる。
【００１４】
【発明の実施の形態】
次に、本発明の実施の形態について、図面に基づいて説明する。
図１は、本発明に係るシート状物搬送装置を紙幣搬送装置として用いる遊技設備の一部の平面図、図２は図１の楕円Ａ部分、すなわち、紙幣搬送装置のユニット搬送体の一部を示す平面図、図３は図１の楕円Ｂ部分、すなわち、主としてユニット搬送体と導入機の結合部を示す横断面図、図４は図３に対応する正面図である。図５は、ユニット搬送体の正面図である。
図６〜図９は、導入機を示すものであり、図６は正面図、図７は平面図、図８は図６の断面図、図９は側面図、図１０は図８のＤ−Ｄ線断面図である。図１２は図３のＣ−Ｃ線断面図、図１３はシート状物搬送装置を支持するレールの端面図である。
【００１５】
本発明によるシート状物搬送装置は、とくに、図１に例示するように、一つの遊技台列に、遊技機Ｐ、紙幣受入機Ｓを組込んだ玉貸機やメダル貸機のほか、画像情報提供装置Ｖ、タバコや飲食物などを販売し又は提供するサービス提供機（図示せず）などが、ランダムに設置される遊技設備において、紙幣受入機Ｓから送り出される紙幣を遊技台列の一端部に搬送する紙幣搬送装置ＢＣとして用いるのに好適なものである。
以下には、上記紙幣搬送装置ＢＣについて、説明する。
【００１６】
図１〜図３に示すように、紙幣搬送装置ＢＣが、遊技台列の両端部に設けた水平軸回りに回転されるプーリ（図示省略）の間に１本の無端ゴム丸ベルトからなる搬送ベルト１を巻回するとともに、遊技台列の一端部のプーリを介して搬送ベルトを回転駆動するモータなどの駆動源Ｍを設け、搬送ベルト１にその互いに反対側から接触して垂直軸回りに従動回転される搬送ローラ２（２ａ，２ｂ）を備えたユニット搬送体Ｕを設置して、搬送ベルト１とそれぞれの側の搬送ローラ２の接触面に沿って搬送路ｐ１，ｐ２を形成し、遊技台列に沿って隣接するユニット搬送体Ｕの搬送ローラ２ａ，２ａ：２ｂ，２ｂの間に、それぞれの遊技台列の紙幣受入機Ｓから投入された紙幣を搬送路ｐ１，ｐ２にそれぞれ導入させる導入機Ｊを設けて構成されている点は、従来と同様である。
【００１７】
しかし、本発明においては、紙幣搬送装置ＢＣは、上記のようにユニット搬送体Ｕと導入機Ｊとを遊技台列に沿って所定の位置に設置して構成されるが、図２に示すように、ユニット搬送体Ｕは、搬送ベルト１を境界として、一方側に配置される搬送ローラ２ａを一つの所定長の搬送路形成部材３ａに等間隔をもって取付けて構成された第１ユニット搬送体Ｕ１と、他方側に配置される搬送ローラ２ｂを搬送路形成部材３ａと等長の搬送路形成部材３ｂに等間隔をもって取付けて構成された第２ユニット搬送体Ｕ２とに分割形成されていて、各ユニット搬送体Ｕ１，Ｕ２がそれぞれ独立して、遊技台列に沿った任意の位置に取付け可能とされている。
【００１８】
ユニット搬送体Ｕ１，Ｕ２は、同一の構造を有しているが、搬送ベルト１に関して互いに反対側に備えられるから、対称形に形成されている。ユニット搬送体は、図５にＵ１について示し、図１２にＵ２について示すように、横長矩形平板状の搬送路形成部材３ａ（３ｂ）を有し、その搬送路形成部材の片面上下に形成された案内縁３１，３２により上下に対向して開口し、かつ、搬送路形成部材の長手方向に貫通する溝３３，３４を有し、その上下の溝３３，３４とその間の空隙により、搬送路形成部材３ａ（３ｂ）の背面を案内面とする搬送路ｐ１（ｐ２）が形成されている。そして、搬送路形成部材３ａ（３ｂ）には、その高さ方向のほぼ中間部において搬送ローラ２ａ（２ｂ）が取付けられ、その搬送ローラの外周の一部が、搬送路ｐ１，ｐ２に臨ませてある。搬送路形成部材３ａ，３ｂは、搬送路ｐ１，ｐ２の紙幣の存否を視認できるように、透明樹脂材料で成形されている。
【００１９】
そして、ユニット搬送体Ｕを遊技台列に沿った任意の位置で取付けることを可能にするため、搬送路形成部材３ａ，３ｂの上下両端部に係止部材が設けられている。図５、図１２の例では、搬送路形成部材３ａ，３ｂの上端部に、搬送路形成部材の長手方向に隔てた位置において貫通孔（図示せず）が設けられ、各貫通孔に、係止部材の一例として、押込み拡大リベット４が挿通して装着されている。また、搬送路形成部材３ａ，３ｂの下端部に、係止部材の他の例として、下方に突出する係止縁３５が設けられている。
【００２０】
図４、図１２及び図１３に示すように、両側の遊技台列の間の各紙幣受入機Ｊとほぼ等しい高さ位置において、上下２本のレールＵＲ，ＬＲが紙幣搬送装置の高さとほぼ等しい間隔をもって遊技台列に沿って平行に延設されている。上レールＵＲは、図１２，図１３に示すように、上方に開口するあり溝２０を有するとともに、そのあり溝の下側において前後方向に開口する２条のあり溝２１を有している。上側のあり溝２０は、遊技台列に沿って隣接する上レールＵＲの端部同志を連結するためのものである。図１２に示すように、鋼製の短冊状の連結板２２の長さの半分を一方の上レールのあり溝２０に、他の半分を他方の上レールのあり溝２０に押入することにより、簡単に連結可能とされている。また、下レールＬＲは、下方に開口するあり溝２３と、上方に開口する２条のあり溝２４を有している。下レールＬＲの端部同志も、あり溝２３に同様の連結板２２を同様に押入して、簡単に連結することができる。
【００２１】
上記上下のレールＵＲ，ＬＲに対して、ユニット搬送体Ｕを取付けるには、図１１の左側にＵ２について示すように、まず搬送路形成部材３ｂの係止縁３５を下レールＬＲのあり溝２４に係合し、続いて、搬送路形成部材３ｂの上端部を上レールＵＲに接近して、その上端部に装着してあるリベット４を上レールＵＲのあり溝２１に押込むことにより、搬送路形成部材３ｂの上下端部を上下レールＵＲ，ＬＲに着脱自在に固定する。
このようにして、ユニット搬送体Ｕ１，Ｕ２は、上下レールＵＲ，ＬＲの互いに反対側からそれぞれ各ユニット搬送体の搬送ローラ２ａ，２ｂが、図２に示すように、搬送ベルト１に交互に反対側から接触するように取付けられる。そして、搬送ベルト１に関して一方側の搬送ローラ２ａの軸心を結ぶ直線Ｌ１と他方側の搬送ローラ２ｂの軸心を結ぶ直線Ｌ２との間の距離Ｌａは、搬送ローラの半径をｒ、搬送ベルト１の直径をＲとすると、Ｌａ＜２ｒ＋Ｒとなるように、各ユニット搬送体が上下レールに固定され、これにより、一方のユニット搬送体Ｕ１の搬送ローラ２ａと他方のユニット搬送体Ｕ２の搬送ローラ２ｂに交互に接触する搬送ベルトは蛇行状態に保持されている。
このため、各搬送ローラ２ａ，２ｂは、いずれも搬送ベルト１に対して一定の押圧力をもって接触するので、搬送ベルトと搬送ローラの間を搬送される紙幣に対して確実な挟持搬送力が得られる。
【００２２】
続いて、図３、図６〜１０に基づいて、導入機Ｊを説明する。導入機Ｊは、搬送路形成部材５を有している。搬送路形成部材５には、その背面に搬送路ｐが形成されているとともに、紙幣受入機Ｓから送出される紙幣を搬送路ｐに導入案内する案内路６が形成されており、かつ、推進ホイル８及び搬送ローラ９が支持され、ジャム検知器１２が取付けられている。
搬送路形成部材５のほぼ矩形の平板部５´の背面側上下に形成された、又は固着された案内縁７ａ，７ｂにより、対向して開口する溝７ｃ，７ｄが形成してあり、これらの溝とその間の空隙により、搬送路形成部材の長手方向に貫通して紙幣を横長の姿勢で案内する前記搬送路ｐが構成されている。また、平板部５´の正面の中央寄りやや右又は左に寄った位置に、手前方向に突出して先端が開口する案内路６を有し、その案内路６は先端開口から紙幣搬送方向に向かって前記搬送路ｐに斜めに結合されている。搬送路形成部材５も、搬送路ｐの紙幣の存否を視認できるように、透明樹脂材料で成形されている。
【００２３】
図８に示されているように、案内路６の中間部には、案内路の高さ方向中間部において窓６ａが形成され、その窓に摩擦係数が大きい材料で作られた星形状又は円板状の推進ホイル８の外周の一部を臨ませた状態で、垂直軸を中心に回転自在に取付けてある。また、一例として、搬送路ｐと案内路６の結合部よりも紙幣搬送方向下流側において、搬送ローラ９がその外周の一部を搬送路ｐに、その高さ方向中間部において突出させた状態で、垂直軸回りに回転自在に取付けられている。搬送ローラ９はゴムローラで作られていて、後述される搬送ベルト１に接触し、その搬送ベルト１と搬送ローラ９の間に紙幣を挟持して搬送するように作用する。
【００２４】
また、搬送ローラ９は、搬送ベルト１から与えられる回転力を推進ホイル８に伝動する作用も行う。すなわち、搬送ローラ９が搬送ベルト１に接触して回転される時、その回転力を推進ホイル８に伝動させる手段として、搬送ローラ９の軸上に固着されたプーリ（図示せず）と推進ホイル８の軸上に固着されたプーリ（図示せず）とに伝動ベルト１０を巻回してある。
【００２５】
好ましい実施の形態では、搬送路ｐの上流側に、その搬送路の高さ方向中間部において外周の一部が搬送路ｐに臨む補助ローラ１１が垂直軸回りに回転自在に備えてある。この補助ローラ１１は搬送ベルト１に接触してその間に紙幣を挟持して搬送する作用を行う。搬送ベルトとの間に紙幣を挟持するだけであるので、補助ローラ１１はプラスチックローラで作られている。
【００２６】
ジャム検知器１２は、アクチュエータ型センサからなり、一例として、図１１に示すように、部分搬送路ｐの溝７ｃ内に先端が突出され、支点１２ａで揺動自在に支持されたアクチュエータ１２ｂと、そのアクチュエータが溝７ｃを搬送される紙幣により揺動されたとき、そのアクチュエータ１０ｂにより光を遮断されるフォトセンサ１２ｃからなる周知のものを用いることができる。しかし、フォトセンサの代りに、アクチュエータにより作動されるマイクロスイッチその他のセンサを用いることもできる。このジャム検知器１２が出力する紙幣検知信号は導線１３を介して判定部（図示せず）に与えられ、紙幣検知信号の出力が所定時間以上継続した場合は、前記判定部はジャムが発生したと判断するようになっている。
【００２７】
さらに、搬送路形成部材５は、紙幣搬送方向の上流側端部と下流側端部に、櫛歯状の連結部１４，１５を有している。この連結部は、図４に示すように、搬送方向に沿って隣接する導入機Ｊの間に設けられて両導入機の搬送路ｐを連続させるユニット搬送体Ｕ（Ｕ１，Ｕ１）と連結する際に、導入機Ｊとユニット搬送体Ｕの間に、搬送される紙幣をジャムさせるような縦直線状のエッジが生じないように、滑らかに連結するためのものである。
すなわち、上流側の連結部１４は、上流側のユニット搬送体Ｕの下流側端部の連結部１６と互いに嵌め継ぎが可能な形状を有し、下流側の連結部１５は、下流側のユニット搬送体Ｕの上流側端部の連結部１７と互いに嵌め継ぎが可能な形状を有している。そして、搬送路形成部材５の上流側の連結部１４とユニット搬送体Ｕの上流側端部の連結部１７、搬送路形成部材５の下流側の連結部１５とユニット搬送体Ｕの下流側端部の連結部１６は、それぞれ等しい形状を有している。
図４は、上下のレールＵＲ，ＬＲに導入機Ｊを取付けた後に、その上流側及び下流側にユニット搬送体Ｕ１を取付け、櫛歯構造を利用して円滑に連結した状態を示す紙幣搬送装置の一部の正面図である。
【００２８】
上記のように、搬送路形成部材５に搬送路ｐと案内路６を形成し、推進ホイル８と搬送ローラ９を取付け、ジャム検知器１２を取付けて、独立した構成を有する導入機Ｊも、好ましい実施の形態では、ユニット搬送体Ｕと同様に、遊技台列に沿って任意の位置に容易に取付ることを可能にするため、搬送路形成部材５の上下両端部に係止部材が設けられている。図示の例では、搬送路形成部材５の上端部には、紙幣搬送方向に間隔をおいて複数個の貫通孔１８（図５参照）が形成してあり、各貫通孔に、ユニット搬送体Ｕにおける押込み拡大リベット４と同じリベット４が挿通して装着されている。また、搬送路形成部材５の下端部には、同様の押込み拡大型のリベットを装着しても良いが、係止部材の他の形態として、係止縁１９が形成してある。
【００２９】
そして、導入機Ｊを所定位置に取付ける際は、図１２に示すように、まず、合流機Ｊの搬送路形成部材５をその下部を下レールＬＲに接近させてやや斜めにした状態で下レールＬＲに接近し、下端部の係止縁１９を下レールＬＲの上側のあり溝２４に嵌合し、その搬送路形成部材５を紙幣受入機Ｓに対応する所定位置まで摺動し、その後に、搬送路形成部材５の上端部を上レールＵＲに接近して、前記リベット４を上レールＵＲの側面のあり溝２１に押し込むことにより、搬送路形成部材５を上下両レールＵＲ，ＬＲに着脱自在に固定する。
【００３０】
図１２は、図３のＣ−Ｃ線に沿った断面図であり、上レールＵＲ及び下レールＬＲの右側に、一方側の遊技台列に対応する導入機Ｊ１を、左側に他方側の遊技台列に対応するユニット搬送体Ｕ２を上述の方法により取付けた状態を示す。
図３に示すように、導入機Ｊ１、Ｊ２は、ユニット搬送体Ｕ１，Ｕ２の一部と対向するような位置関係に取付けられることがあり、また、導入機Ｊ１が導入機Ｊ２の一部と対向する位置関係に取付けられることもある。これらの相対的位置関係は、遊技台列が遊技台、台間玉貸機や台間メダル貸機、情報提供機などのどの様な組合わせを採用しているかにより種々異なる。しかし、いずれの場合も、ユニット搬送体の搬送ローラも導入機の搬送ローラも、搬送ベルトに好ましくは等間隔をもって交互に反対側から接触するように導入機とユニット搬送体が取付けられ、搬送ベルトは蛇行状態に張設され、搬送ベルトと搬送ローラの間に所要の挟持力が確保されている。
従って、紙幣受入機Ｓから送り出される紙幣が各導入機Ｊの案内路６より推進ホイル８及び搬送ローラ９を介して搬送路ｐに導入されると、その紙幣は搬送ベルトと搬送ローラによって確実に挟持搬送される。
【００３１】
上記紙幣搬送装置において、紙幣が搬送路のいずれかの位置でジャムした場合は、前記ジャム検知器１０が出力するジャム検知信号に基づき、判定部がジャム発生と判定すると、遊技台列の端部に設置されている７セグメントＬＥＤなどからある表示装置（図示省略）により当該台間玉貸機は台間メダル貸機の番号とともに、ジャム警報が表示される。従って、係員は、その表示された番号に対応する遊技台の前面扉を開放し、紙幣の所在を確認して、前記導入機又は搬送ユニットの搬送路形成部材の上端部の係止部材１７を上レールＵＲから離間し、部分搬送路を開放することにより、そのジャムした紙幣を取り除くことができる。
【００３２】
【発明の効果】
上述のように、請求項１の発明によれば、第１に、一定方向に回転される搬送ベルトと、その搬送ベルトに互いに反対側から接触される搬送ローラとの間にシート状物を挟持して搬送するシート状物搬送装置において、搬送ベルトの一方側に配置される搬送ローラと、前記搬送ベルトの他方側に配置される搬送ローラとが搬送方向に交互に非対向状態で、かつ、搬送ベルトの互いに反対側に接触する搬送ローラの軸心を通る直線間距離Ｌａを、搬送ローラの半径をｒ、搬送ベルトの直径をＲとすると、Ｌａ＜２ｒ＋Ｒとなるように設定し、搬送ローラに順次接触する搬送ベルトが蛇行するようにしたので、搬送ベルトと搬送ローラの間に確実な挾持力が得られ、紙幣その他のシート状物が確実に挟持搬送される。
【００３３】
第２に、シート状物搬送装置を、搬送ベルトに互いに反対側から接触される搬送ローラのうち、それぞれ同一側に配置される搬送ローラを、それぞれ等長の搬送路形成部材であって、上下に対向する溝で構成された部分搬送路を有するものに、その外周の一部が前記部分搬送路に臨むように前記搬送路形成部材の長手方向に等間隔をもって取付けてユニット搬送体を形成し、複数のユニット搬送体を前記搬送路形成部材の上下端部において、前記搬送ベルトの上方及び下方にシート状物搬送方向に沿って延設されたレールに摺動自在に取付けたので、複数のユニット搬送体は搬送路形成部材の上下端部において、上下のレールに摺動自在に取付けられるから、上記条件Ｌａ＜２ｒ＋Ｒが満たされるように、搬送ローラを配置することが容易にできる。また、各ユニット搬送体のシート状物搬送方向に沿った取付け位置を任意に設定することができる。
【００３４】
請求項２の発明によれば、ユニット搬送体の搬送路形成部材の上端部及び下端部が係止部材によりレールに着脱自在に支持されている場合は、ユニット搬送体のレールに対する取付け作業及び位置決め、並びに搬送路にジャムしたシート状物の排除作業を簡単に行うことができる。
【図面の簡単な説明】
【図１】本発明に係るシート状物搬送装置を紙幣搬送装置として用いる遊技設備の一部の平面図である。
【図２】図１の楕円Ａ部分のユニット搬送体の一部を示す平面図である。
【図３】図１の楕円Ｂ部分の主としてユニット搬送体と導入機の結合部を示す横断面図である。
【図４】図１の楕円Ｂ部分の正面図である。
【図５】ユニット搬送体の正面図である。
【図６】導入機の正面図である。
【図７】同じく平面図である。
【図８】同じく横断面図である。
【図９】同じく側面図である。
【図１０】図８のＤ−Ｄ線断面図である。
【図１１】ジャム検知器の一例を示す図であり、（ａ）は平面図、（ｂ）は一部抽出平面図、（ｃ）は同じく側面図である。
【図１２】図３のＣ−Ｃ線断面図である。
【図１３】シート状物搬送装置を支持する上下レールの端面図である。
【図１４】従来の紙幣搬送装置を備えた遊技設備の一部の平面図である。
【図１５】図１４の楕円Ｅ部分、すなわち、紙幣搬送装置のユニット搬送体の一部を示す平面図である。
【図１６】図１４の楕円Ｂ部分、すなわち、導入機Ｊの横断面図である。
【図１７】従来のユニット搬送体を従来の取付け構造に基づいて搬送方向にずらして取付けた場合の想像図である。
【符号の説明】
Ｐ    遊技台
Ｓ    紙幣受入機
Ｖ    画像情報提供機
ＢＣ  紙幣搬送装置
１    搬送ベルト
Ｕ，Ｕ１，Ｕ２    ユニット搬送体
２ａ，２ｂ  搬送ローラ
３ａ，３ｂ  搬送路形成部材
Ｊ，Ｊ１，Ｊ２    導入機
４    押込み拡大リベット
６    案内路
８    推進ホイル
９    搬送ローラ
ＵＲ，ＵＬ      上下の取付レール
【図１】
0003944311.tif 000002
【図２】
0003944311.tif 000003
【図３】
0003944311.tif 000004
【図４】
0003944311.tif 000005
【図５】
0003944311.tif 000006
【図６】
0003944311.tif 000007
【図７】
0003944311.tif 000008
【図８】
0003944311.tif 000009
【図９】
0003944311.tif 000010
【図１０】
0003944311.tif 000011
【図１１】
0003944311.tif 000012
【図１２】
0003944311.tif 000013
【図１３】
0003944311.tif 000014
【図１４】
0003944311.tif 000015
【図１５】
0003944311.tif 000016
【図１６】
0003944311.tif 000017
【図１７】
0003944311.tif 000018